(57)【要約】【課題】プラズマディスプレイパネルの表示領域と表示外領域との境界が画像に影響を与えないように、目立たなくする。【解決手段】表示領域内では、Ｘバス電極１０とＸ放電電極１１を含むＸ電極とＹバス電極２０とＹ放電電極２１を含むＹ電極が対向して配置されている。表示外領域では、Ｙ電極引出し線２２が範囲ｄにおいてＹ電極と同じ方向に延在している。範囲ｄにおいて、Ｙ電極引出し線２２の幅を大きくすることによって、金属電極の面積比率を表示領域における金属電極の面積比率同等とし、表示領域と表示外領域の境界を目立たなくする。【選択図】図６
2010027489.tif 000002
【特許請求の範囲】
【請求項１】
前面基板には、第１のバス電極と第１の放電電極を含む第１の電極が第１の方向に延在し、前記第１の電極に対向して、第２のバス電極と第２の放電電極を含む第２の電極が第１の方向に延在しており、前記第１の電極と前記第２の電極が電極対を形成し、前記電極対は第２の方向に配列している表示領域と、前記表示領域の外側の表示外領域が存在し、
前記表示外領域の第１の側には、前記第１の電極に電流を供給する端子部と前記端子部と前記第１の電極を接続する第１の引出し線が形成され、
前記表示外領域の第２の側には、前記第２の電極に電流を供給する端子部と前記第２の電極に電流を供給する第２の引出し線が形成され、
背面基板には、前記第２の方向に延在して第１の方向に配列した第３の電極が形成され、前記前面基板と前記背面基板がシール部によって封止されたプラズマディスプレイパネルであって、
前記表示領域における前記第１の電極および前記第２の電極の占める面積の割合をＡとし、前記表示外領域の第１の側における前記表示領域から特定距離内における前記第１の電極引出し線の占める面積をＢとしたとき、前記Ｂは前記Ａの６０％から１４０％の範囲であり、
前記表示外領域の前記第２の側における表示領域から特定距離内における前記第２の電極引出し線の占める面積をＣとしたとき、前記Ｃは前記Ａの６０％から１４０％の範囲であり、
前記特定距離は２ｍｍ以上であることを特徴とするプラズマディスプレイパネル。
【請求項２】
前記Ｂ及び前記Ｃは前記Ａの７０％から１００％であることを特徴とする請求項１に記載のプラズマディスプレイパネル。
【請求項３】
前記第１の引出し線または前記第２の引出し線の幅は前記第１のバス電極の幅よりも大きいことを特徴とする請求項１または請求項２に記載のプラズマディスプレイパネル。
【請求項４】
前記第１の引出し線または前記第２の引出し線は複数に分岐していることを特徴とする請求項１または請求項２に記載のプラズマディスプレイパネル。
【請求項５】
前面基板には、第１のバス電極と第１の放電電極を含む第１の電極が第１の方向に延在し、前記第１の電極に対向して、第２のバス電極と第２の放電電極を含む第２の電極が第１の方向に延在しており、前記第１の電極と前記第２の電極が電極対を形成し、前記電極対は第２の方向に配列しており、
前記電極対の間には、前記第１の電極および前記第２の電極とは絶縁されている第４の電極が前記第１の方向に延在している表示領域と、前記表示領域の外側の表示外領域が存在し、
前記表示外領域の第１の側には、前記第１の電極に電流を供給する端子部と前記端子部と前記第１の電極を接続する第１の引出し線が形成され、
前記表示外領域の第２の側には、前記第２の電極に電流を供給する端子部と前記第２の電極に電流を供給する第２の引出し線が形成され、
背面基板には、前記第２の方向に延在する第３の電極が形成され、前記前面基板と前記背面基板がシール部によって封止されたプラズマディスプレイパネルであって、
前記表示外領域の第１の側には、前記表示外領域の前記表示領域から特定距離内において、前記第４の電極が延在し、
前記表示外領域の第２の側には、前記表示外領域の前記表示領域から特定距離内において、前記第４の電極が延在し、
前記表示領域における前記第１の電極、前記第２の電極、および前記第４の電極の占める面積の割合をＡとし、前記表示外領域の前記第１の側における前記表示領域から特定距離内における前記第１の電極引出し線および前記第４の電極の占める面積をＢとしたとき、前記Ｂは前記Ａの６０％から１４０％の範囲であり、
前記表示外領域の前記第２の側における前記表示領域から特定距離内における前記第２の電極引出し線および前記第４の電極の占める面積をＣとしたとき、前記Ｃは前記Ａの６０％から１４０％の範囲であり、
前記特定距離は２ｍｍ以上であることを特徴とするプラズマディスプレイパネル。
【請求項６】
前記Ｂ及び前記Ｃは前記Ａの７０％から１００％であることを特徴とする請求項５に記載のプラズマディスプレイパネル。
【請求項７】
前記第１の引出し線または前記第２の引出し線の幅は前記第１のバス電極の幅よりも大きいことを特徴とする請求項５または請求項６に記載のプラズマディスプレイパネル。
【請求項８】
前記第１の引出し線または前記第２の引出し線は複数に分岐していることを特徴とする請求項５または請求項６に記載のプラズマディスプレイパネル。
【請求項９】
前面基板には、金属によって形成された第１のバス電極と透明導電膜によって形成された第１の放電電極を含む第１の電極が第１の方向に延在し、前記第１の電極に対向して、金属によって形成された第２のバス電極と透明電極によって形成された第２の放電電極を含む第２の電極が第１の方向に延在しており、前記第１の電極と前記第２の電極が電極対を形成し、前記電極対は第２の方向に配列している表示領域と、前記表示領域の外側の表示外領域が存在し、
前記表示外領域の第１の側には、前記第１の電極に電流を供給する端子部と前記端子部と前記第１の電極を接続する第１の引出し線が形成され、
前記表示外領域の第２の側には、前記第２の電極に電流を供給する端子部と前記第２の電極に電流を供給する第２の引出し線が形成され、
背面基板には、前記第２の方向に延在する第３の電極が形成され、前記前面基板と前記背面基板がシール部によって封止されたプラズマディスプレイパネルであって、
前記表示領域における前記第１のバス電極および前記第２のバス電極の占める面積の割合をＡとし、前記表示外領域の第１の側における前記表示領域から特定距離内における前記第１の電極引出し線の占める面積をＢとしたとき、前記Ｂは前記Ａの６０％から１４０％の範囲であり、
前記表示外領域の前記第２の側における前記表示領域から特定距離内における前記第２の電極引出し線の占める面積をＣとしたとき、前記Ｃは前記Ａの６０％から１４０％の範囲であり、
前記特定距離は２ｍｍ以上であることを特徴とするプラズマディスプレイパネル。
【請求項１０】
前面基板には、金属で形成された第１のバス電極と透明導電膜によって形成された第１の放電電極を含む第１の電極が第１の方向に延在し、前記第１の電極に対向して、金属によって形成された第２のバス電極と透明導電膜によって形成された第２の放電電極を含む第２の電極が第１の方向に延在しており、前記第１の電極と前記第２の電極が電極対を形成し、前記電極対は第２の方向に配列しており、
前記電極対の間には、前記第１の電極および前記第２の電極とは絶縁されている第４の電極が前記第１の方向に延在している表示領域と、前記表示領域の外側の表示外領域が存在し、
前記表示外領域の第１の側には、前記第１の電極に電流を供給する端子部と前記端子部と前記第１の電極を接続する第１の引出し線が形成され、
前記表示外領域の第２の側には、前記第２の電極に電流を供給する端子部と前記第２の電極に電流を供給する第２の引出し線が形成され、
背面基板には、前記第２の方向に延在する第３の電極が形成され、前記前面基板と前記背面基板がシール部によって封止されたプラズマディスプレイパネルであって、
前記表示外領域の第１の側には、前記表示外領域の前記表示領域から特定距離内において、前記第４の電極が延在し、
前記表示外領域の第２の側には、前記表示外領域の前記表示領域から特定距離内において、前記第４の電極が延在し、
前記表示領域における前記第１のバス電極、前記第２のバス電極、および前記第４の電極の占める面積の割合をＡとし、前記表示外領域の前記第１の側における表示領域から特定距離内における前記第１の電極引出し線および前記第４の電極の占める面積をＢとしたとき、前記Ｂは前記Ａの６０％から１４０％の範囲であり、
前記表示外領域の前記第２の側における前記表示領域から特定距離内における前記第２の電極引出し線および前記第４の電極の占める面積をＣとしたとき、前記Ｃは前記Ａの６０％から１４０％の範囲であり、
前記特定距離は２ｍｍ以上であることを特徴とするプラズマディスプレイパネル。
【発明の詳細な説明】
【技術分野】
【０００１】
本発明は表示装置に係り、特に表示領域と表示外領域の境界を目立たなくさせたプラズマディスプレイパネルに関する。
【背景技術】
【０００２】
プラズマディスプレイパネル（ＰＤＰ）を用いたＰＤＰ表示装置は、薄型で特に大画面の表示が可能なディスプレイとして需要が拡大している。ＰＤＰ表示装置は、プラズマディスプレイパネル、プラズマディスプレイパネルの前面に配置された前面パネル、プラズマディスプレイパネルの背面に配置された駆動回路、およびこれらを収容するフレーム等から構成されている。
【０００３】
前面パネルは、反射防止膜、電磁波の放出、画像の色調を調整するための色フィルタ等の役割を有しており、一般にはガラスで形成される。プラズマディスプレイパネルは走査電極、放電維持電極等が形成された前面基板と、アドレス電極等が形成された背面基板とが重ねあわされて構成されている。
【０００４】
前面基板においては、走査電極あるいは放電維持電極に外部から電圧を印加するために、基板の端部に端子部が形成され、この端子部と走査電極あるいは放電維持電極等を接続する電極引出し線が形成されている。また、前面基板においては、走査電極には、例えば、画面左側の端子部から、放電維持電極には、例えば、画面の右側から電圧を供給する。したがって、表示領域とその周辺では、電極の密度が異なる。
【０００５】
一般には、フレームの枠によってプラズマディスプレイパネルの表示領域のみが視認できるような構成となっているが、プラズマディスプレイパネルと前面パネルの合わせ精度の影響、前面パネルからの光の屈折の影響、あるいは、画面を斜めから見た場合等にプラズマディスプレイパネルの表示領域の外側が見えることがある。表示領域の外側は、表示領域とは、外部からの反射等が異なるために、画面の印象に影響を与える。
【０００６】
「特許文献１」には、前面基板の表示領域の外側において、走査電極あるいは、放電維持電極の幅を広げることによって、画面の両側に黒い帯が見えるようにする構成が記載されている。
【０００７】
【特許文献１】特開昭６２−１９４２２５号公報
【発明の開示】
【発明が解決しようとする課題】
【０００８】
「特許文献１」に記載のプラズマディスプレイパネルは、表示領域の両側において、黒い帯を形成することを目的としている。そのために、走査電極あるいは、放電維持電極の幅を広げ、各走査電極間、あるいは、各放電維持電極間の間隔を極力小さくすることを教示している。
【０００９】
しかし、プラズマディスプレイパネルを用いたＴＶ等の用途においては、「特許文献１」に記載のように、表示領域と表示外領域の境界が明確であると、画面に違和感が生ずるという問題がある。つまり、プラズマディスプレイパネルを用いたＴＶでは、ＣＲＴ等にように、表示領域周辺のブラックマトリクスによる額縁が常に見えるのではなく、画面を斜めから見たり、あるいは、前面パネルによる光の屈折によって表示領域周辺が見えたり見えなかったりする場合がある。
【００１０】
このような場合、表示領域と表示外領域において、反射等によるコントラストが明確に異なると、画面に対して違和感を生ずる。本発明は、表示領域と表示外領域の差が目立たないプラズマディスプレイパネルを用いた表示装置を実現することである。
【課題を解決するための手段】
【００１１】
前面パネルにおいて、金属電極の占有する面積の割合を表示領域と表示外領域で同程度に設定することによって表示領域と表示外領域の境界を視認できないようにする。具体的な手段は次のとおりである。
【００１２】
（１）前面基板には、第１のバス電極と第１の放電電極を含む第１の電極が第１の方向に延在し、前記第１の電極に対向して、第２のバス電極と第２の放電電極を含む第２の電極が第１の方向に延在しており、前記第１の電極と前記第２の電極が電極対を形成し、前記電極対は第２の方向に配列している表示領域と、前記表示領域の外側の表示外領域が存在し、前記表示外領域の第１の側には、前記第１の電極に電流を供給する端子部と前記端子部と前記第１の電極を接続する第１の引出し線が形成され、前記表示外領域の第２の側には、前記第２の電極に電流を供給する端子部と前記第２の電極に電流を供給する第２の引出し線が形成され、背面基板には、前記第２の方向に延在する第３の電極が形成され、前記前面基板と前記背面基板がシール部によって封止されたプラズマディスプレイパネルであって、前記表示領域における前記第１の電極および前記第２の電極の占める面積の割合をＡとし、前記表示外領域の第１の側における前記表示領域から特定距離内における前記第１の電極引出し線の占める面積をＢとしたとき、前記Ｂは前記Ａの６０％から１４０％の範囲であり、前記表示外領域の前記第２の側における表示領域から特定距離内における前記第２の電極引出し線の占める面積をＣとしたとき、前記Ｃは前記Ａの６０％から１４０％の範囲であり、前記特定距離は２ｍｍ以上であることを特徴とするプラズマディスプレイパネル。
【００１３】
（２）前記Ｂ及び前記Ｃは前記Ａの７０％から１００％であることを特徴とする（１）に記載のプラズマディスプレイパネル。
【００１４】
（３）前記第１の引出し線または前記第２の引出し線の幅は前記第１のバス電極の幅よりも大きいことを特徴とする（１）または（２）に記載のプラズマディスプレイパネル。
【００１５】
（５）前記第１の引出し線または前記第２の引出し線は複数に分岐していることを特徴とする（１）または（２）に記載のプラズマディスプレイパネル。
【００１６】
（６）前面基板には、第１のバス電極と第１の放電電極を含む第１の電極が第１の方向に延在し、前記第１の電極に対向して、第２のバス電極と第２の放電電極を含む第２の電極が第１の方向に延在しており、前記第１の電極と前記第２の電極が電極対を形成し、前記電極対は第２の方向に配列しており、前記電極対の間には、前記第１の電極および前記第２の電極とは絶縁されている第４の電極が前記第１の方向に延在している表示領域と、前記表示領域の外側の表示外領域が存在し、前記表示外領域の第１の側には、前記第１の電極に電流を供給する端子部と前記端子部と前記第１の電極を接続する第１の引出し線が形成され、前記表示外領域の第２の側には、前記第２の電極に電流を供給する端子部と前記第２の電極に電流を供給する第２の引出し線が形成され、背面基板には、前記第２の方向に延在する第３の電極が形成され、前記前面基板と前記背面基板がシール部によって封止されたプラズマディスプレイパネルであって、前記表示外領域の第１の側には、前記表示外領域の前記表示領域から特定距離内において、前記第４の電極が延在し、前記表示外領域の第２の側には、前記表示外領域の前記表示領域から特定距離内において、前記第４の電極が延在し、前記表示領域における前記第１の電極、前記第２の電極、および前記第４の電極の占める面積の割合をＡとし、前記表示外領域の前記第１の側における前記表示領域から特定距離内における前記第１の電極引出し線および前記第４の電極の占める面積をＢとしたとき、前記Ｂは前記Ａの６０％から１４０％の範囲であり、前記表示外領域の前記第２の側における前記表示領域から特定距離内における前記第２の電極引出し線および前記第４の電極の占める面積をＣとしたとき、前記Ｃは前記Ａの６０％から１４０％の範囲であり、前記特定距離は２ｍｍ以上であることを特徴とするプラズマディスプレイパネル。
【００１７】
（７）前記Ｂ及び前記Ｃは前記Ａの７０％から１００％であることを特徴とする（６）に記載のプラズマディスプレイパネル。
【００１８】
（８）前記第１の引出し線または前記第２の引出し線の幅は前記第１のバス電極の幅よりも大きいことを特徴とする請求項６または（７）に記載のプラズマディスプレイパネル。
【００１９】
（９）前記第１の引出し線または前記第２の引出し線は複数に分岐していることを特徴とする（６）または（７）に記載のプラズマディスプレイパネル。
【００２０】
（１０）前面基板には、金属によって形成された第１のバス電極と透明導電膜によって形成された第１の放電電極を含む第１の電極が第１の方向に延在し、前記第１の電極に対向して、金属によって形成された第２のバス電極と透明電極によって形成された第２の放電電極を含む第２の電極が第１の方向に延在しており、前記第１の電極と前記第２の電極が電極対を形成し、前記電極対は第２の方向に配列している表示領域と、前記表示領域の外側の表示外領域が存在し、前記表示外領域の第１の側には、前記第１の電極に電流を供給する端子部と前記端子部と前記第１の電極を接続する第１の引出し線が形成され、前記表示外領域の第２の側には、前記第２の電極に電流を供給する端子部と前記第２の電極に電流を供給する第２の引出し線が形成され、背面基板には、前記第２の方向に延在する第３の電極が形成され、前記前面基板と前記背面基板がシール部によって封止されたプラズマディスプレイパネルであって、前記表示領域における前記第１のバス電極および前記第２のバス電極の占める面積の割合をＡとし、前記表示外領域の第１の側における前記表示領域から特定距離内における前記第１の電極引出し線の占める面積をＢとしたとき、前記Ｂは前記Ａの６０％から１４０％の範囲であり、前記表示外領域の前記第２の側における前記表示領域から特定距離内における前記第２の電極引出し線の占める面積をＣとしたとき、前記Ｃは前記Ａの６０％から１４０％の範囲であり、前記特定距離は２ｍｍ以上であることを特徴とするプラズマディスプレイパネル。
【００２１】
（１１）前面基板には、金属で形成された第１のバス電極と透明導電膜によって形成された第１の放電電極を含む第１の電極が第１の方向に延在し、前記第１の電極に対向して、金属によって形成された第２のバス電極と透明導電膜によって形成された第２の放電電極を含む第２の電極が第１の方向に延在しており、前記第１の電極と前記第２の電極が電極対を形成し、前記電極対は第２の方向に配列しており、前記電極対の間には、前記第１の電極および前記第２の電極とは絶縁されている第４の電極が前記第１の方向に延在している表示領域と、前記表示領域の外側の表示外領域が存在し、前記表示外領域の第１の側には、前記第１の電極に電流を供給する端子部と前記端子部と前記第１の電極を接続する第１の引出し線が形成され、前記表示外領域の第２の側には、前記第２の電極に電流を供給する端子部と前記第２の電極に電流を供給する第２の引出し線が形成され、背面基板には、前記第２の方向に延在する第３の電極が形成され、前記前面基板と前記背面基板がシール部によって封止されたプラズマディスプレイパネルであって、前記表示外領域の第１の側には、前記表示外領域の前記表示領域から特定距離内において、前記第４の電極が延在し、前記表示外領域の第２の側には、前記表示外領域の前記表示領域から特定距離内において、前記第４の電極が延在し、前記表示領域における前記第１のバス電極、前記第２のバス電極、および前記第４の電極の占める面積の割合をＡとし、前記表示外領域の前記第１の側における表示領域から特定距離内における前記第１の電極引出し線および前記第４の電極の占める面積をＢとしたとき、前記Ｂは前記Ａの６０％から１４０％の範囲であり、前記表示外領域の前記第２の側における前記表示領域から特定距離内における前記第２の電極引出し線および前記第４の電極の占める面積をＣとしたとき、前記Ｃは前記Ａの６０％から１４０％の範囲であり、前記特定距離は２ｍｍ以上であることを特徴とするプラズマディスプレイパネル。
【発明の効果】
【００２２】
前面基板の表示外領域の特定領域において、金属電極の占める面積の割合を、表示領域における金属電極の占める面積の割合と大きく変えないようにすることによって、表示領域と表示外領域の境界がスムースとなり、境界を視認できなくなる。これによって、表示領域と表示外領域の境界が画像に影響を与えることを防止することが出来る。
【発明を実施するための最良の形態】
【００２３】
本発明の具体的な実施例を説明する前に、本発明が適用されるプラズマディスプレイパネルの構造を説明する。図１は、プラズマディスプレイパネルの表示領域の分解斜視図である。プラズマディスプレイパネルは，前面基板１と背面基板２の２枚のガラス基板から構成されている。前面基板１には、画像形成のための放電を生じさせる走査電極と放電維持電極が平行に配置されている。
【００２４】
走査電極は、さらに実際に放電電極となるＩＴＯ（Ｉｎｄｉｕｍ  Ｔｉｎ  Ｏｘｉｄｅ）によって形成された走査放電電極と、端子部から電圧を供給する走査バス電極から構成される。以後、走査バス電極をＸバス電極１０と呼び、走査放電電極をＸ放電電極１１と呼ぶ。また、Ｘ電極という場合は、Ｘバス電極１０とＸ放電電極１１を含むものとする。
【００２５】
放電維持電極は、さらに実際に放電電極となるＩＴＯ（Ｉｎｄｉｕｍ  Ｔｉｎ  Ｏｘｉｄｅ）によって形成された放電維持電極と、端子部から電圧を供給する放電維持バス電極から構成される。以後、放電維持バス電極をＹバス電極２０と呼び、放電維持電極をＹ放電電極２１と呼ぶ。また、Ｙ電極という場合は、Ｙバス電極２０とＹ放電電極２１を含むものとする。
【００２６】
Ｘバス電極１０、Ｙバス電極２０はいずれも金属の積層構造となっており、前面基板１の側からクロム、銅、クロムの積層構造となっている。前面基板１上に形成されたクロムは、ガラスとの接着性が優れており、かつ、クロムの表面が黒いので、コントラストの向上のための効果を有する。銅はバス電極の抵抗を小さくするために使用される。銅の上をさらにクロムが被覆しているが、このクロムは、銅の表面が酸化されて抵抗が変化することを防止するためである。
【００２７】
前面ガラス上のクロムはさらに、酸化クロムとクロムの積層構造となる場合もある。酸化クロムは黒色で、反射率がクロムよりも小さいので、画像のコントラストをさらに向上させることが出来る。酸化クロムもガラスとの接着性は優れている。また、銅との接触面はクロムなので、銅が酸化されることも無い。
【００２８】
図１においては、放電電極は透明導電膜であるＩＴＯを使用し、バス電極には抵抗の小さい金属積層膜を使用している。透明導電膜を使用すると、蛍光体８からの発光を外部により多く取り出すことが出来るからである。一方、放電電極をバス電極と同じ金属によって形成する場合もある。この場合は、プロセスが一回で済み、製造コストの大幅な低減になる。以下に述べる実施例では主として、放電電極とバス電極を同じ金属で形成した場合を例にとって説明する。
【００２９】
Ｘ電極およびＹ電極を覆うように誘電体層５が形成される。誘電体層５には軟化点が５００℃程度の低融点ガラスが使用される。その上に保護膜６が形成される。保護膜６としては，酸化マグネシウム（ＭｇＯ）が主に使用され，スパッタ法または蒸着法によって形成される。
【００３０】
背面基板２には，アドレス電極４０が，Ｘバス電極１０あるいはＹバス電極２０と直交して形成される。アドレス電極４０の構造もＸバス電極１０あるいはＹバス電極２０と同様の構造であり、クロム、銅、クロムの積層構造となっている。アドレス電極４０の上を誘電体層５が被覆している。一般的には背面基板２に形成された誘電体層５も前面基板１に形成された誘電体層５と同じ材料が使用される。
【００３１】
背面基板２の誘電体層５の上には、隔壁７がアドレス電極４０を挟むように、アドレス電極４０と同じ方向に延在させて形成されている。隔壁７の内側には蛍光体８が塗布されている。蛍光体８は、赤、緑、青の蛍光体８が図１の隔壁７によって形成された凹部に並列して塗布されている。
【００３２】
前面基板１と背面基板２及び隔壁７に囲まれた空間が放電ガスを封入する放電空間となっている。一対のバス配線と隔壁７の間がひとつの表示セル（サブピクセル）に対応し，カラー表示の場合、３つのサブピクセルがおのおの３原色（Ｒ，Ｂ，Ｇ）に対応してひとつの画素（ピクセル）を形成する。
【００３３】
プラズマディスプレイパネルの発光の原理は以下のようになっている。まず，発光させたいセルに対応するアドレス電極４０と，同じく当該セルに対応する走査電極との間に１００-２００Ｖ程度の電圧（放電開始電圧）をかける。アドレス電極４０とバス電極は直交しているため，その交点にある単独のセルを選択することができる。選択されたセルでは電圧をかけた放電電極（この場合はＸ電極）と，アドレス電極４０の間で微弱放電が発生し，前面基板１側の誘電体層５の上の保護膜６上に電荷（壁電荷）が蓄積される。このようにして、表示領域の全セルに電荷による書き込みを行う。この期間は書き込み期間であり、画像は形成されない。
【００３４】
続いて、サステイン期間において、Ｘ電極とＹ電極との間に高周波パルスを印加して維持放電を行う。このとき、壁電荷が蓄積されているセルのみでサステイン放電が発生する。このサステイン放電によって紫外線が発生し、この紫外線によって蛍光体８が発光する。蛍光体８から放射された可視光は前面基板１から放出され、人間が視認する。書き込み期間に電荷が蓄積されたセルのみで蛍光体８が発光するので、画像が形成されることになる。
【００３５】
図２はプラズマディスプレイパネルの平面図である。図２において、前面基板１の下に、シール材３を介して背面基板２が配置されている。背面基板２には、点線で示すアドレス電極４０が縦方向に延在し、横方向に配列している。アドレス電極４０には背面基板２端子部１２０からアドレス信号が供給される。
【００３６】
図２において、前面基板１には横方向にＸ電極とＹ電極が延在している。Ｘ電極には、前面基板１の左側から信号が供給されるが、図２では図示していない。Ｙ電極には、右側の前面基板１の端子部１１０から信号が供給される。端子部１１０とＹ電極の間は、Ｙバス電極引出し線２２によって接続されている。端子部１１０のピッチはＹバス電極２０のピッチよりも小さいために、表示外領域において、Ｙバス電極引出し線２２は傾斜部２２１を有している。
【００３７】
Ｙバス電極引出し線２２は、傾斜部２２１に達するまでは、横方向に延在している。表示領域の外側において、引出し線のピッチはＹバス電極２０のピッチと同じであるが、この部分にはＸ電極が存在していないので、ガラス基板上の金属電極の占有密度は、表示領域の半分以下となっている。Ｘ電極あるいはＹ電極は、前面基板１側ではクロムあるいは酸化クロムであり、黒色である。したがって、表示領域の境界部においては、表示領域が黒く、表示外領域が白く見える。これは、画面に違和感を与えることになる。
【００３８】
図３は、図２の表示領域境界部付近の従来例におけるＸ電極あるいはＹ電極の状態を示す拡大図である。図３において、Ｘバス電極１０とＸ放電電極１１は同じ材料で同時に形成されている。また、Ｙバス電極２０とＹ放電電極２１は同じ材料で同時に形成されている。図３において、Ｘ電極は表示領域で終端し、Ｙ電極は表示外領域に延在し、その後、端子に向かって傾斜して配線される。図３に示すように、従来例では、表示外領域における金属電極の占有面積は表示領域に比較して非常に小さい。一方、表示外領域において、金属電極の占有面積を大きくしすぎると、表示領域の反射と表示外領域の反射が大きく異なることになって画面に違和感を生じさせる。
【００３９】
表示外領域は、フレームの枠によって覆われているので、プラズマディスプレイパネルの表示外領域は見えないように設定しているが、フレームとプラズマディスプレイパネルの位置合わせのずれ、プラズマディスプレイパネルの前面に設置される前面パネルにおける光の屈折、あるいは、画面を斜め方向から見た場合等に、プラズマディスプレイパネルの表示外領域が視認される。
【００４０】
表示外領域が視認される範囲は図２に示すｄの範囲であるが、ｄは２ｍｍ程度となる。したがって、表示領域の境界から少なくとも２ｍｍの範囲においては、金属配線の占有面積は大きく変わらないことが望ましい。図２において、例えば、Ｘ電極を表示外領域、ｄの範囲まで延在させれば、表示領域と表示外領域の反射率の差は認識されない。
【００４１】
しかし、このような構成では、表示外領域において、Ｘ電極の延長部分とＹ電極とで放電を生ずる。蛍光体８は、印刷で形成されるので、表示領域よりもやや大きめに塗布され、Ｘ電極の延長部分にも蛍光体８が存在する。そうすると、Ｘ電極が延在した部分においても蛍光体８の発光が生ずる。この発光は、画像と関係の無い発光なので、画質を損ねることになる。
【００４２】
Ｘ電極とＹ電極の配置には２種類がある。その一つは、図４に示すように、Ｘ電極とＹ電極を交互に縦方向に配列するものである。図４の配線は図２に示すＸ電極、Ｙ電極の配線と同じである。この配線はＸ電極とＹ電極が交互に縦方向に配列しているので、配線が単純であるという利点がある。他の一つは、図１０に示すような配線方法である。図１０に示す配線方法の特徴については後述する。
【００４３】
実施例１〜実施例４は、Ｘ電極とＹ電極の配置が図４に示すような配置の場合の例である。また、図４はＸバス電極１０とＸ放電電極１１が同じ材料で同じプロセスで形成されている場合の例である。実施例１〜実施例４においても、図４と同様な電極構成となっている。この電極構成は一回のプロセスで電極を形成することが出来るので、製造コストを低減できるという特徴を有する。
【００４４】
一方、図４のような電極構造は、蛍光体８から放射する可視光を金属電極によって遮り、外部へ放射される光が減少するという問題を有する。この問題を対策した電極構成を図５に示す。図５において、Ｘバス電極１０およびＹバス電極２０は金属の積層膜で形成されている。セルにおいて放電を生じさせるＸ放電電極１１およびＹ放電電極２１は透明電極であるＩＴＯによって形成されている。
【００４５】
Ｘ放電電極１１とＹ放電電極２１の間の放電で発生した紫外線による蛍光体８からの可視光は、ＩＴＯを透過して外部に取り出すことが出来る。したがって、画面輝度を上げることが出来る、図５において、まずＩＴＯを被着し、パターニングして、その上にバス電極を構成する３層の金属膜を被着し、バス電極をパターニングして形成する。
【００４６】
以下の実施例では、電極の構造として、図４のように、バス電極と放電電極を同じ金属の積層膜によって同時に形成するタイプについて説明するが、図５のように、放電電極をＩＴＯで形成し、バス電極を金属の積層膜によって形成するタイプについても同様にして本発明を適用することが出来る。ただし、図５のような放電電極が透明電極で形成されている場合は、前面基板１における金属電極の占有面積という場合は、バス電極の面積のみをいうことになる。
【００４７】
以下に示す実施例では、表示領域と表示外領域の境界を目立たなくするための前面基板１における具体的な配線の構成を示す。
【実施例１】
【００４８】
図６は本発明の第１の実施例を示す、前面基板１の表示領域境界部におけるＸ電極とＹ電極、および、Ｙ電極の引出し線の形状を示す平面図である。図６において、表示領域では、Ｘ電極とＹ電極が対向して配置されている。金属で形成されたＸ放電電極１１とＹ放電電極２１の間で放電が生じて、対応する蛍光体８から光が発生する。図において、対向する放電電極のペアが各セルに対応する。
【００４９】
図６において、Ｙ電極のみに引出し線が表示されている。Ｘ電極の引出し線は、図６の左側方向に存在しているが、図６には記載されていない。図６において、Ｙ電極引出し線２２は所定の距離ｄだけＹ電極と同じ向きに延在し、その後、曲がって、傾斜部２２１となる。傾斜部２２１が形成されるのは、Ｙ電極のピッチよりも端子部のピッチが小さいからである。
【００５０】
図６において、Ｙ電極引出し線２２は表示領域から距離ｄの範囲において、表示領域におけるＹバス電極２０の幅よりも大きくなっている。すなわち、従来例を示す図３と比較して、表示外領域において、金属膜の占有面積が増大している。金属膜の占有面積が表示領域と表示外領域で大きな変化が無ければ、表示領域と表示外領域の境界が明確でなくなり、画像に違和感が無くなる。
【００５１】
従来例である図３の表示領域に示す点線の縦長の長方形がセルに該当する範囲である。このセルにおいて、金属配線の占有面積は、３３．３％である。また、図３の表示外領域に示す点線の縦長の長方形における金属配線の占有面積は１２．５％である。すなわち、表示外領域における金属膜の占有面積は表示領域における金属膜の占有面積の３７．５％にすぎない。この場合は、表示外領域が白く見える。
【００５２】
本実施例を示す図６において、表示外領域の、範囲ｄにおいては、Ｙ電極引出し線２２の線の太さを大きくして、金属配線の占有面積を増大させている。図６の例では、表示外領域の金属配線の占有面積の割合は３３．３％である。表示領域における金属配線の占有面積は３３．３％であるから、金属配線の占有面積は表示領域と表示外領域において同じである。したがって、図６の例では、外部から画面を見た場合、表示領域と表示外領域の境界はほとんど認識出来ない。
【００５３】
前面パネルとプラズマディスプレイパネルの位置合わせ、前面パネルの屈折、あるいは、画面を斜めから見た場合に表示外領域が見える範囲は２ｍｍ程度であるから、表示外領域において、Ｙ電極引出し線２２を太くする範囲は、表示領域の境界から２ｍｍ以上であれば十分である。
【００５４】
本実施例において、Ｙ電極引出し線２２を太くしすぎると、表示外領域が黒くなって、表示領域と表示外領域の境界が目立ち、画像に違和感を与える。表示領域における金属配線の占有面積比率をＡ、表示外領域の金属配線の占有面積比率をＢとした場合、官能評価によれば、Ｂ／Ａが０．６〜１．４の範囲である必要がある。また、より好ましくは、０．７〜１．０の範囲である。表示外領域が表示領域より黒いと表示領域と表示外領域の境界がより目立つ場合があるからである。
【実施例２】
【００５５】
図７は本発明の第２の実施例を示す平面図である。表示領域の構成は図６と同様なので、説明は省略する。図７の表示外領域において、Ｙ電極引出し線２２は、距離ｄにおいて、３つの線に分岐している。この範囲において、Ｙ電極引出し線２２を３つに分岐させることによりＹ電極引出し線２２の面積を大きくすることによって、表示領域と表示外領域における金属配線の占有面積を合わせることが出来る。
【００５６】
図７において、表示領域における点線の縦長の長方形が表示セルに該当するが、この部分おける金属配線の占有面積は例えば、３３．３％である。また、図７における表示外領域における点線の縦長の長方形は、表示領域の表示セルに対応する面積であるが、この部分における金属配線の占有面積は３３．３％となっている。したがって、図７の構成では、外部から画面を見た場合、表示領域と表示外領域の境界はほとんど視認出来ない。
【００５７】
図７においては、表示外領域において、範囲ｄにおいてＹ電極引出し線２２を分岐させているので、金属配線をより均一に分布させることが出来るという利点を有する。図７においては、Ｙ電極引出し線２２は３つに分岐させているが、２つに分岐させても良いし、４つ以上に分岐させてもよい。また、ｄの範囲は実施例１と同じで２ｍｍ以上である。
【００５８】
表示領域における金属配線の占有率と表示外領域における金属配線の占有率の比は実施例１と同様である。すなわち、表示領域における金属配線の占有面積比率をＡ、表示外領域の金属配線の占有面積比率をＢとした場合、Ｂ／Ａが０．６〜１．４の範囲である必要がある。また、より好ましくは、０．７〜１．０の範囲である。
【００５９】
なお、図７において、Ｙ電極引出し線２２は３本に分岐しているが、上記条件を満足する限り、傾斜部２２１あるいは端子部と接続していない分岐線はＹ電極と必ずしも導通している必要は無い。
【実施例３】
【００６０】
図８は本発明の第３の実施例を示す平面図である。図８の表示領域において、Ｘ電極とＹ電極が横方向に延在し、縦方向に配列している。Ｘ放電電極１１とＹ放電電極２１が対向している部分で表示セルが構成される。すなわち、この部分で放電が生じ蛍光体８から可視光が放射される。
【００６１】
図８において、Ｙ電極とＸ電極の間にフロート電極３０が形成されている。フロート電極３０はＸ電極ともＹ電極とも接続されておらず、文字どおりフロートとなっており、Ｘ電極とＹ電極の間の耐電圧には影響を与えない。フロート電極３０はＸ電極あるいはＹ電極と同じ材料で形成され、かつ、同時に形成される。
【００６２】
したがって、フロート電極３０は金属の積層構造となっており、前面基板１と接する部分はクロムあるいは酸化クロムである。クロムあるいは酸化クロムは黒色であり、したがって、フロート電極３０はいわゆるブラックマトリクスの効果を有し、表示領域において、画像のコントラストを向上させる。
【００６３】
本実施例では、図８に示すように、フロート電極３０を表示外領域にまで延在させ、かつ、表示外領域において、幅を大きくしている。これによって、表示外領域の範囲ｄにおいて、金属電極の占有面積を大きくしている。図８の表示領域において、点線の縦長の長方形で囲んだ部分が一つのセルを構成する。このセルは、Ｘ電極、Ｙ電極、及び、フロート電極３０を含む。
【００６４】
図８の表示領域の点線の縦長の長方形における金属電極の面積占有率は例えば、４５．８％である。図８の表示外領域における点線の縦長の長方形の部分は、表示領域の点線の縦長の長方形に対応する部分である。表示外領域におけるこの部分の金属電極の面積占有率は、フロート電極３０の幅を大きくすることによって４５．８％としている。したがって、本実施例の構成によれば、表示領域と表示外領域との境界は、外部からはほとんど視認できない。
【００６５】
表示外領域において、フロート電極３０の幅を大きくする範囲ｄは、実施例１等と同様に２ｍｍ以上である。また、表示領域における金属配線の占有率と表示外領域における金属配線の占有率の比は実施例１等と同様である。すなわち、表示領域における金属配線の占有面積比率をＡ、表示外領域の金属配線の占有面積比率をＢとした場合、Ｂ／Ａが０．６〜１．４の範囲である必要がある。また、より好ましくは、０．７〜１．０の範囲である。
【００６６】
以上の説明では、表示外領域において、フロート電極３０の幅を大きくすることによって表示領域と表示外領域との境界を目立たなくしている。表示外領域の電極配置の都合によっては、フロート電極３０の線幅を変えると同時にＹ電極の幅を変えても良い。
【実施例４】
【００６７】
図９は本発明の第４の実施例を示す平面図である。表示領域の構成は図８と同様なので、説明は省略する。図９の表示外領域において、フロート電極３０は、範囲ｄにおいて、３つの線に分岐している。この範囲において、フロート電極３０を３つに分岐させることによって、フロート電極３０の面積を大きくすることにより、表示領域と表示外領域における金属配線の占有面積を合わせることが出来る。
【００６８】
図９において、表示領域における点線の縦長の長方形が表示セルに該当するが、この部分おける金属配線の占有面積は例えば、４５．８％である。また、図９における表示外領域における点線の縦長の長方形は、表示領域の表示セルに対応する面積であるが、この部分における金属配線の占有面積も、フロート電極３０を３本形成することによって４５．８％となっている。したがって、図９の構成では、外部から画面を見た場合、表示領域と表示外領域の境界はほとんど視認出来ない。
【００６９】
図９においては、表示外領域で、範囲ｄにおいてフロート電極３０を分岐させているので、金属配線をより均一に分布させることが出来るという利点を有する。図９では、フロート電極３０は３つに分岐させているが、２つに分岐させても良いし、４つ以上に分岐させてもよい。また、ｄの範囲は実施例１と同様２ｍｍ以上である。分岐させたフロート電極３０は互いに接続している必要は無い。分岐させたフロート電極３０は金属電極の占有面積を大きくする役割を持てば良いからである。
【００７０】
表示領域における金属配線の占有率と表示外領域における金属配線の占有率の比は実施例１等と同様である。すなわち、表示領域における金属配線の占有面積比率をＡ、表示外領域の金属配線の占有面積比率をＢとした場合、Ｂ／Ａが０．６〜１．４の範囲である必要がある。また、より好ましくは、０．７〜１．０の範囲である。
【実施例５】
【００７１】
実施例５〜実施例８はＸ電極とＹ電極の配置が実施例１〜実施例４と異なる。実施例１〜実施例４の表示領域における電極配置は、図４に示すようにＸ電極とＹ電極が交互に順番に並んでいる。これに対して、実施例５〜実施例８の表示領域における電極配置は、図１０に示すようにＸ電極とＹ電極の上下関係が一つおきに入れ替わっている。このような配置は次のような利点を有する。
【００７２】
プラズマディスプレイパネルの動作において画像を表示する期間、すなわち、発光期間（サステイン期間）には、Ｘ電極とＹ電極に交互に１８０Ｖ程度のパルス電圧が印加される。この電圧によってＸ電極とＹ電極の間に放電を起こし、生じた紫外線によって蛍光体８から可視光を放射して画像を形成する。
【００７３】
図４においては、Ｘ電極あるいはＹ電極に印加されたパルスのうち、例えば、Ｘ１電極とＹ１電極間、あるいは、Ｘ２電極とＹ２電極間の電圧は、放電に寄与し、蛍光体８を光らせ画像形成に寄与する。しかし、Ｙ１電極とＸ２電極間あるいは、Ｙ２電極とＸ３電極間の電圧は放電を生じさせず、蛍光体８を発光させるものではなく、画像の形成には寄与しない。ところが、Ｙ１電極とＸ２電極の間あるいは、Ｙ２電極とＸ３電極の間等にも容量は存在するので、これらの電極間において、電流が流れる。この電流のうち大部分は無効電流ではあるが、電流が流れることによって配線抵抗において電力が消費され、無駄な電力が消費されることになる。
【００７４】
図１０はこの問題を対策する電極配置である。図１０において、Ｘ電極とＹ電極が横方向に延在し、Ｘ電極とＹ電極との間で放電が生ずることは図４と同様である。しかし、図１０では、Ｘ電極とＹ電極のペア毎にＸ電極とＹ電極の上下関係が入れ替わっている。例えば、Ｘ１電極とＹ１電極で放電を生じると同時にＹ２電極とＸ２電極の間で放電が生じているとする。この場合、上下で隣り合うＹ１電極とＹ２電極は同じ電位であるので、Ｙ１電極とＹ２電極の間に容量が存在していても電流は流れない。したがって、Ｙ１電極とＹ２電極間を流れる無駄な電流を無くすことが出来る。これは、Ｘ２電極とＸ３電極との間においても同様である。このように、図１０のような電極配置とすることによって配線は若干複雑になるが、無駄な消費電力を無くすことが出来る。
【００７５】
図１０は放電電極とバス電極を同じ金属の積層膜によって形成した場合である。図１１は放電電極を透明電極であるＩＴＯによって形成し、セル内の蛍光体８から放射される可視光をより多く取り出すことが出来る電極配置である。この場合も、Ｘ電極およびＹ電極の配置は図１０と同じとすることが出来る。以下の実施例は図１０のように、放電電極とバス電極を同じ金属の積層膜によって形成した場合について説明するが、図１１のような電極構成の場合にも同様に本発明を適用することが出来る。ただし、図１１のように放電電極が透明電極で形成されている場合は、前面基板１における金属電極の占有面積という場合は、バス電極の面積のみをいうことになる。
【００７６】
図１２は図１０のような電極配置とした場合の従来例における表示領域境界部付近の電極配置である。図１２において、表示領域の内側にはＸ電極とＹ電極が延在し、表示外領域では、Ｙ電極引出し線２２がＹ電極から延在している。図１２の表示領域において、点線の縦長の長方形が表示セルに対応する。表示セル内における金属電極の占有面積は、例えば、３３．３％である。これに対して、表示外領域における対応する点線の縦長の長方形の部分における金属電極の占有面積は１２．５％である。したがって、図１２の例では、表示領域と表示外領域との境界が明確となり、画面を見た場合に違和感を生じさせる。
【００７７】
図１３は本実施例を示す平面図である。図１３において、表示領域内は、図１０で説明したのと同様な電極配置となっている。なお、Ｘ電極およびＹ電極の構成は実施例１等と同じ、クロム、銅、クロム、または酸化クロム、クロム、銅、クロムの積層構造となっている。図１３における表示外領域では、Ｙ電極引出し線２２が延在している。Ｙ電極引出し線２２は表示外領域において、範囲ｄの部分において、幅が大きくなっており、表示外領域における金属電極の面積占有率を上昇させ、表示領域と表示外領域の境界を視認しにくくしている。
【００７８】
図１３において、表示領域における点線の縦長の長方形が表示セルに対応している。表示領域における点線の縦長の長方形における金属電極の面積占有率は例えば、３３．３％である。一方、表示外領域の範囲ｄにおいては、Ｙ電極引出し線２２の幅が大きくなっているので、金属電極の面積占有率は３３．３％となっている。したがって、表示領域と表示外領域との境界は外部からは視認しにくく、この境界が画像に対して影響を与えることは無い。表示外領域における範囲ｄは２ｍｍ以上である。
【００７９】
また、本実施例においても、表示領域における金属配線の占有率と表示外領域における金属配線の占有率の比は実施例１等と同様である。すなわち、表示領域における金属配線の占有面積比率をＡ、表示外領域の金属配線の占有面積比率をＢとした場合、Ｂ／Ａが０．６〜１．４の範囲である必要がある。また、より好ましくは、０．７〜１．０の範囲である。
【実施例６】
【００８０】
図１４は本発明の第６の実施例を示す平面図である。図１４において、表示領域は図１３と同様であるので、説明は省略する。図１４の表示外領域において、Ｙ電極引出し線２２が範囲ｄにおいて、３つの線に分岐している。表示外領域において、金属電極の面積比率を大きくするためである。
【００８１】
図１４において、表示領域における点線の縦長の長方形が表示セルに対応している。表示領域における点線の縦長の長方形における金属電極の面積占有率は例えば、３３．３％である。一方、表示外領域の範囲ｄにおいては、Ｙ電極引出し線２２が３本形成されているので、電極の占有面積が大きくなり、金属電極の面積占有率は３３．３％となっている。したがって、表示領域と表示外領域との境界は外部からは視認しにくく、この境界が画像に対して影響を与えることは無い。表示外領域における範囲ｄは２ｍｍ以上である。
【００８２】
また、本実施例においても、表示領域における金属配線の占有率と表示外領域における金属配線の占有率の比は実施例１等と同様である。すなわち、表示領域における金属配線の占有面積比率をＡ、表示外領域の金属配線の占有面積比率をＢとした場合、Ｂ／Ａが０．６〜１．４の範囲である必要がある。また、より好ましくは、０．７〜１．０の範囲である。
【００８３】
本実施例においては、Ｙ電極引出し線２２を３本に分岐させているので、金属電極の部分を表示外領域の範囲ｄにおいて、均一に配置することが出来、表示領域と表示外領域との境界をよりスムースとし、境界部分を視認しにくくすることが出来る。
【００８４】
なお、図１４において、Ｙ電極引出し線２２は３本に分岐しているが、上記条件を満足する限り、傾斜部２２１あるいは端子部と接続していない分岐線はＹ電極と必ずしも導通している必要は無い。
【実施例７】
【００８５】
図１５は本発明の第７の実施例を示す平面図である。図１５において、表示領域は、Ｙ電極とＹ電極の間、あるいはＸ電極とＸ電極の間にはフロート電極３０が配置されている。フロート電極３０の役割は、実施例３で説明したように、画像のコントラストを向上させることである。図１５の表示外領域における範囲ｄにおいては、フロート電極３０の幅が１本おきに大きくなっている。これは、Ｙ電極引出し線２２の間隔が１本おきに大きくなっており、間隔が大きい部分のフロート電極３０の幅を大きくしているためである。
【００８６】
図１５において、表示領域における点線の縦長の長方形が表示セルに対応している。表示領域における点線の縦長の長方形における金属電極の面積占有率は例えば、４５．８％である。一方、表示外領域の範囲ｄにおいては、Ｙ電極引出し線２２の幅が大きくなっているので、金属電極の面積占有率は４５．８％となっている。したがって、表示領域と表示外領域との境界は外部からは視認しにくく、この境界が画像に対して影響を与えることは無い。表示外領域における範囲ｄは２ｍｍ以上である。
【００８７】
また、本実施例においても、表示領域における金属配線の占有率と表示外領域における金属配線の占有率の比は実施例１等と同様である。すなわち、表示領域における金属配線の占有面積比率をＡ、表示外領域の金属配線の占有面積比率をＢとした場合、Ｂ／Ａが０．６〜１．４の範囲である必要がある。また、より好ましくは、０．７〜１．０の範囲である。
【実施例８】
【００８８】
図１６は本発明の第８の実施例を示す平面図である。図１６において、表示領域は、Ｙ電極とＹ電極の間、あるいはＸ電極とＸ電極の間にはフロート電極３０が配置されている。フロート電極３０の役割は、実施例３で説明したと同様に、画像のコントラストを向上させることである。図１６の表示外領域において、範囲ｄにおいては、フロート電極３０が１本おきに３つに分岐している。Ｙ電極引出し線２２の間隔が１本おきに大きくなっており、間隔が大きい部分のフロート電極３０を３本に分岐させて、金属電極の占有面積率を大きくしている。図１６において、分岐したフロート電極３０は必ずしも連続している必要は無い。
【００８９】
図１６において、表示領域における点線の縦長の長方形が表示セルに対応している。表示領域における点線の縦長の長方形における金属電極の面積占有率は例えば、４５．８％である。一方、表示外領域の範囲ｄにおいては、フロート電極３０が分岐して、面積が大きくなっているので、金属電極の面積占有率は４５．８％となっている。したがって、表示領域と表示外領域との境界は外部からは視認しにくく、この境界が画像に対して影響を与えることは無い。表示外領域における範囲ｄは２ｍｍ以上である。
【００９０】
また、本実施例においても、表示領域における金属配線の占有率と表示外領域における金属配線の占有率の比は実施例１等と同様である。すなわち、表示領域における金属配線の占有面積比率をＡ、表示外領域の金属配線の占有面積比率をＢとした場合、Ｂ／Ａが０．６〜１．４の範囲である必要がある。また、より好ましくは、０．７〜１．０の範囲である。
【００９１】
以上は図２における前面基板１の左側の辺におけるＹ電極およびＹ電極引出し線２２の関係について説明した。図２において、前面基板１の左側には、図示しないＸ電極引出し線および端子部が形成されている。図２の表示領域左側においても表示領域と表示外領域とで反射率等が大きく異なると画面に違和感が生ずることは画面右側と同じである。したがって、以上説明した内容は、図２の左側におけるＸ電極引出し線についても同様に適用することが出来る。
【図面の簡単な説明】
【００９２】
【図１】プラズマディスプレイパネルの表示領域の断面斜視図である。
【図２】プラズマディスプレイパネルの平面図である。
【図３】前面パネルの表示領域付近の電極の平面図である。
【図４】表示領域における電極配置の平面図である。
【図５】図４における他の電極構成の平面図である。
【図６】実施例１の電極構成の平面図である。
【図７】実施例２の電極構成の平面図である。
【図８】実施例３の電極構成の平面図である。
【図９】実施例４の電極構成の平面図である。
【図１０】表示領域における他の電極配置の平面図である。
【図１１】図１０における他の電極構成の平面図である。
【図１２】図１０の電極配置の従来例である。
【図１３】実施例５の電極構成の平面図である。
【図１４】実施例６の電極構成の平面図である。
【図１５】実施例７の電極構成の平面図である。
【図１６】実施例８の電極構成の平面図である。
【符号の説明】
【００９３】
１・・・前面基板、  ２・・・背面基板、  ３・・・シール部、  ５・・・誘電体層、  ６・・・保護膜、  ７・・・隔壁、  ８・・・蛍光体、１０・・・Ｘバス電極、  １１・・・Ｘ放電電極、  ２０・・・Ｙバス電極、  ２１・・・Ｙ放電電極、  ２２・・・Ｙ電極引出し線、  ３０・・・フロート電極、  ４０・・・アドレス電極、  １１０・・・前面基板端子部、  １２０・・・背面基板端子部、  ２２１・・・Ｙ電極引出し線傾斜部。
【図１】
2010027489.tif 000003
【図２】
2010027489.tif 000004
【図３】
2010027489.tif 000005
【図４】
2010027489.tif 000006
【図５】
2010027489.tif 000007
【図６】
2010027489.tif 000008
【図７】
2010027489.tif 000009
【図８】
2010027489.tif 000010
【図９】
2010027489.tif 000011
【図１０】
2010027489.tif 000012
【図１１】
2010027489.tif 000013
【図１２】
2010027489.tif 000014
【図１３】
2010027489.tif 000015
【図１４】
2010027489.tif 000016
【図１５】
2010027489.tif 000017
【図１６】
2010027489.tif 000018